(57)【要約】      （修正有）【課題】組み立てが簡単である電気コネクタ及びその電気コネクタを用いる電子デバイスを提供する。【解決手段】電気コネクタは、弾性部材３０及び弾性部材に穿設される接続素子を備え、接続素子は、順次に連接する円柱状接触部２２、円盤状リム２４、及び締め具２６を備え、且つ円柱状接触部及び締め具は、それぞれ円盤状リムの両側に位置し、締め具は、ネック部２６２、阻止部２６４及びガイド部２６６を備える。且つネック部及びガイド部は、それぞれ阻止部の両側に位置し、ネック部は、円盤状リムと阻止部との間に位置し、ネック部の直径は円盤状リム及び阻止部の直径より小さく、ガイド部は、阻止部に連接される端部から自由端部までの直径が徐々に小さくなり、且つ自由端部の最大直径が阻止部の直径より小さく、その厚さが阻止部の厚さより大きく、締め具のガイド部及び阻止部が前記弾性部材に挿入されて、ネック部が弾性部材にロックされる。【選択図】図３
0003162507.tif 000002
【実用新案登録請求の範囲】
【請求項１】
弾性部材及び前記弾性部材に穿設される接続素子を備える電気コネクタであって、
前記接続素子は、順次に連接する円柱状接触部、円盤状リム、及び締め具を備え、且つ前記円柱状接触部及び前記締め具は、それぞれ前記円盤状リムの両側に位置し、
前記締め具は、ネック部、阻止部、及びガイド部を備え、且つ前記ネック部及び前記ガイド部は、それぞれ前記阻止部の両側に位置し、
前記ネック部は、円盤状リムと阻止部との間に位置し、前記ネック部の直径は前記円盤状リムの直径及び前記阻止部の直径より小さく、
前記ガイド部は、前記阻止部に連接される端部から自由端部までの直径が徐々に小さくなり、且つ自由端部の最大直径が前記阻止部の直径より小さく、その厚さが前記阻止部の厚さより大きく、
前記締め具のガイド部及び前記阻止部が前記弾性部材に挿入されて、前記ネック部が前記弾性部材にロックされることを特徴とする電気コネクタ。
【請求項２】
前記ガイド部は、円錐台形状であることを特徴とする請求項１に記載の電気コネクタ。
【請求項３】
前記弾性部材は、円錐台形状のバネであり、直径が小さい第一端及び直径が大きい第二端を備えることを特徴とする請求項１に記載の電気コネクタ。
【請求項４】
ハウジングと、導体と、前記ハウジングの内に収容され且つ接続素子及び前記接続素子と前記導体との間に連接される弾性部材を含む電気コネクタと、を備える電子デバイスであって、
前記ハウジングは、ガイド孔が開設されているパネルと、前記パネルの一側から前記導体まで延伸して形成される筒状収容部と、を備え、
前記接続素子は、順次に連接する円柱状接触部、円盤状リム及び締め具を備え、且つ前記円柱状接触部及び前記締め具は、それぞれ前記円盤状リムの両側に位置し、前記締め具は、ネック部、阻止部、及びガイド部を備え、且つ前記ネック部及び前記ガイド部は、それぞれ前記阻止部の両側に位置し、前記ネック部は、円盤状リムと阻止部との間に位置し、前記ネック部の直径は前記円盤状リムの直径及び前記阻止部の直径より小さく、前記ガイド部は、前記阻止部に連接される端部から自由端部までの直径が徐々に小さくなり、且つ自由端部の最大直径が前記阻止部の直径より小さく、その厚さが前記阻止部の厚さより大きく、前記締め具のガイド部及び前記阻止部が前記弾性部材に挿入されて、前記ネック部が前記弾性部材にロックされ、
前記円柱状接触部は、前記筒状収容部及び前記パネルの前記ガイド孔を貫通して、前記ハウジングの外部に延伸され、且つ前記円盤状リム、前記締め具、及び前記弾性部材は、前記筒状収容部に収容されていることを特徴とする電子デバイス。
【請求項５】
前記ガイド孔の直径は、前記円盤状リムの直径より小さいことを特徴とする請求項４に記載の電子デバイス。
【考案の詳細な説明】
【技術分野】
【０００１】
本考案は、電気コネクタ及びその電気コネクタを用いる電子デバイスに関するものである。
【背景技術】
【０００２】
ノート型パソコンのような電子デバイスは、充電、資料の転送又は接地などの要求により、他の電子デバイスに電気的に接続する必要がある。電子デバイス同士の電気的な接続は、便利であり、且つ安定し、接続及び分離の過程が複雑ではなく、且つ接続の不安定及び過大な接触抵抗が生じてはならない。前記の目的に達するために、このような電子デバイスにおいて、一般的に弾性を有する電気コネクタを採用し、且つその弾性を利用して、電子デバイス同士の接触を安定化させる。
【０００３】
電子デバイスの電気コネクタは、一般的にケース体と導電性プレートとの間に固定される。前記電子デバイスと他の電子デバイスとを接続する場合、電気コネクタ及び導電性プレートを介して電気伝導を実現する。前記電気コネクタは、他の電子デバイスに電気的に接続される接続素子と、弾力を生成しつつ電気を伝導するバネと、を備える。電子コネクタが他の電子デバイスに接続されていない場合、接続素子はガイド孔によって電子デバイスのケース体から延伸され、前記電子デバイスと他の電子デバイスとが接続された場合、バネは圧力作用下で変形して弾性力を生成することで、前記接続素子を他の電子デバイスの導電コンタクトに安定的に接触させる。従って、接続素子及びバネを介して、他の電子デバイスを導電性プレートに電気的に接続させる。
【０００４】
前記バネを前記接続素子に安定的に固定するために、一般的に、前記バネに穿設される前記接続素子の一端には、円柱体が設けられる。前記円柱体の直径を、前記バネの直径と等しい、又は前記バネの直径よりやや小さくすることによって、前記バネが前記接続素子に対して揺れることを防止する。前記円柱体の直径が、バネの直径と等しい、又はバネの直径よりやや小さく、且つ電気コネクタに用いられる接続素子及び前記バネのサイズが比較的小さいので、前記接続素子を前記バネに組み立てることが難い。
【考案の概要】
【考案が解決しようとする課題】
【０００５】
本考案の目的は、前記課題を解決し、組み立てが簡単である電気コネクタ及びその電気コネクタを用いる電子デバイスを提供することである。
【課題を解決するための手段】
【０００６】
前記目的を達成するため、本考案に係る電気コネクタは、弾性部材及び前記弾性部材に穿設される接続素子を備え、前記接続素子は、順次に連接する円柱状接触部、円盤状リム及び締め具を備え、且つ前記円柱状接触部及び前記締め具は、それぞれ前記円盤状リムの両側に位置し、前記締め具は、ネック部、阻止部及びガイド部を備え、且つ前記ネック部及び前記ガイド部は、それぞれ前記阻止部の両側に位置し、前記ネック部は、円盤状リムと阻止部との間に位置し、前記ネック部の直径は前記円盤状リム及び前記阻止部の直径より小さく、前記ガイド部は、前記阻止部に連接される端部から自由端部までの直径が徐々に小さくなり、且つ自由端部の最大直径が前記阻止部の直径より小さく、厚さが前記阻止部の厚さより大きく、前記締め具のガイド部及び前記阻止部が前記弾性部材に挿入されて、前記ネック部が前記弾性部材にロックされる。
【０００７】
前記目的を達成するため、本考案に係る電子デバイスは、ハウジングと、導体と、前記ハウジングの内に収容され且つ接続素子及び前記接続素子と前記導体との間に連接される弾性部材を含む電気コネクタと、を備え、前記ハウジングは、ガイド孔が開設されているパネルと、前記パネルの一側から前記導体まで延伸して形成される筒状収容部と、を備え、前記接続素子は、順次に連接する円柱状接触部、円盤状リム及び締め具を備え、且つ前記円柱状接触部及び前記締め具は、それぞれ前記円盤状リムの両側に位置し、前記締め具は、ネック部、阻止部及びガイド部を備え、且つ前記ネック部及び前記ガイド部は、それぞれ前記阻止部の両側に位置し、前記ネック部は、円盤状リムと阻止部との間に位置し、前記ネック部の直径は前記円盤状リム及び前記阻止部の直径より小さく、前記ガイド部は、前記阻止部に連接される端部から自由端部までの直径が徐々に小さくなり、且つ自由端部の最大直径が前記阻止部の直径より小さく、厚さが前記阻止部の厚さより大きく、前記締め具のガイド部及び前記阻止部が前記弾性部材に挿入されて、前記ネック部が前記弾性部材にロックされ、前記円柱状接触部は、前記筒状収容部及びパネルのガイド孔から貫通して、前記ハウジングの外部に延伸され、且つ前記円盤状リム、前記締め具及び前記弾性部材は前記筒状収容部に収容されている。
【考案の効果】
【０００８】
本考案に係わる電気コネクタにおいて、ガイド部の、阻止部に連接される端部から自由端部までの直径が徐々に小さくなり且つ厚さが前記阻止部の厚さより大きいので、前記ガイド部及び前記阻止部を前記弾性部材の第一端に挿入する時、前記締め具を前記弾性部材の第一端に挿入することが容易になって、前記接続素子と前記弾性部材との組み立てが簡単になる。
【図面の簡単な説明】
【０００９】
【図１】本考案の実施形態に係る電気コネクタの立体図である。
【図２】図１に示す電気コネクタを用いる電子デバイスの局部的な立体図である。
【図３】図２に示す電子デバイスのＩＩＩ−ＩＩＩ方向に沿う断面図である。
【図４】図２に示す電子デバイスをドッキングステーションとして応用することを示す図である。
【考案を実施するための形態】
【００１０】
図１乃至図３を参照すると、電子デバイス４０は、ハウジング４２と、前記ハウジング４２に収容され、且つ弾性部材３０及び前記弾性部材３０に挿入されて連結される接続素子２０を含む電気コネクタ１０と、導体４４と、を備える。前記接続素子２０は、他の電子デバイスに接続されて、電気伝導作用を実現する。
【００１１】
前記接続素子２０は、軸（Ｏ−Ｏ’）に関して対称とされる回転体であり、順次に連接する、他の電子デバイスの導電コンタクトに接触される円柱状接触部２２と、前記円柱状接触部２２と同軸を有し、且つ前記円柱状接触部２２の直径より大きい直径を有する円盤状リム２４と、締め具２６と、を備える。前記円柱状接触部材２２と締め具２６とは、それぞれ前記円盤状リム２４の両側に位置する。
【００１２】
前記締め具２６は、円盤状リム２４の端面に連接されるネック部２６２と、前記ネック部２６２より直径が大きく且つ前記ネック部２６２に連接される阻止部２６４と、前記阻止部２６４と同軸を有し且つ前記阻止部２６４に連接される端部から自由端部までの直径が徐々に小さくなるように形成されたガイド部２６６と、を備える。前記ガイド部２６６は、円錐台形状である。前記ネック部２６２と前記ガイド部２６６とは、それぞれ前記阻止部２６４の両側に位置する。前記ネック部２６２は、前記円盤状リム２４と前記阻止部２６４との間に位置し、且つ、その直径は前記円盤状リム２４の直径及び前記阻止部２６４の直径より小さい。前記ガイド部２６６の自由端部の最大直径は、前記阻止部２６４の直径より遥かに小さく、その厚さは前記阻止部２６４の厚さより遥かに大きい。他の実施例において、前記ガイド部２６６は、円錐形状であることができる。
【００１３】
前記弾性部材３０は、円錐台形状のバネであり、直径が小さい第一端３０２と、直径が大きい第二端３０４と、を備える。前記第一端３０２の直径は、前記阻止部２６４の直径よりやや小さいが、前記ネック部２６２の直径より大きい。
【００１４】
前記ハウジング４２は、ガイド孔４２０が開設されているパネル４２４と、前記パネル４２４の一側から前記導体４４まで延伸して形成される筒状収容部４２２と、を備える。前記ガイド孔４２０の直径は、前記円盤状リム２４の直径より小さいが、前記円柱状接触部２２の直径より大きい。前記筒状収容部４２２と前記パネル４２４とは、収容スペースを形成し、且つ前記収容スペースは前記ガイド孔４２０と連通されている。
【００１５】
前記電気コネクタ１０を組み立てる場合、前記締め具２６を前記弾性部材３０の第一端３０２に挿入して、前記弾性部材３０の第一端３０２を前記ネック部２６２にロックする一方、前記接続素子２０と前記弾性部材３０との電気的な接続を実現する。前記ガイド部２６６の最小直径（自由端部の直径）が前記阻止部２６４の直径より小さく、前記ガイド部２６６の厚さは前記阻止部２６４の厚さより大きいので、前記ガイド部２６６及び前記阻止部２６４を前記弾性部材３０の第一端３０２に挿入する時、前記締め具２６を前記弾性部材３０の第一端３０２に挿入することが容易になり、前記接続素子２０と前記弾性部材３０との組み立てが簡単になる。また、前記ネック部２６２の直径が、前記円盤状リム２４の直径及び前記阻止部２６４の直径より小さいので、前記弾性部材３０を前記ネック部２６２に安定的に結合させることができる。
【００１６】
前記電気コネクタ１０を電子デバイス４０に装着する場合、まず、電気コネクタ１０の円柱状接触部２２を前記筒状収容部４２２及びガイド孔４２０に順次に挿入して、前記パネル４２４の外部に延伸させる。この時、前記円盤状リム２４、前記締め具２６、及び前記弾性部材３０は、前記筒状収容部４２２内に収容されている。次に、前記接続素子２０と前記導体４４とが電気的に接続されるように、前記導体４４を前記弾性部材３０の第二端３０４に当接させる。前記円盤状リム２４の直径が前記ガイド孔４２０の直径より大きいので、前記円盤状リム２４は前記ガイド孔４２０の周囲のパネル４２４に当接されて、前記弾性部材３０は圧縮状態になる。これによって、前記円盤状リム２４と前記ハウジング４２との間及び前記弾性部材３０と前記導体４４との間には、一定な圧力が保持されて、相対的な移動を防止して、前記接続素子２０の揺れを減少することができる。前記接続素子２０の円柱状接触部２２を他の電子デバイスに接続させる場合、前記弾性部材３０と前記導体４４とが電気的に接続されることによって、接地、充電及び資料の転送などの機能を実現することができる。
【００１７】
図４を参照すると、電子デバイス４０をノートパソコン６０のドッキングステーション７０として応用することを示す図である。前記ノートパソコン６０は、自身の第一コネクタ６６と前記ドッキングステーション７０の第二コネクタ７６とを通して接続される。前記第一コネクタ６６の内部の複数の金属ターミナル６８は、前記ノートパソコン６０の内部の電気回路に電気的に接続され、前記第二コネクタ７６の内部の複数のリード７８は前記ドッキングステーション７０内部の電気回路に電気的に接続されている。前記第一コネクタ６６と前記第二コネクタ７６とが接続された後、前記リード７８と前記金属ターミナル６８とが電気的に接続されることによって、資料を転送することが実現する。
【００１８】
前記ノートパソコン６０と前記ドッキングステーション７０との間に資料の安定的な転送を実現するために、電磁干渉（Ｅｌｅｃｔｒｏ  Ｍａｇｎｅｔｉｃ  Ｉｎｔｅｒｆｅｒｅｎｃｅ、ＥＭＩ）の影響を減少させる必要がある。前記電磁干渉の有効的な減少方法は、前記電磁干渉の接地通路を形成して、前記電磁干渉をガイドして出力することである。前記電磁干渉の抵抗能力を向上するために、前記ノートパソコン６０は、ノートパソコン６０の内部の電気回路に電気的に接続されている複数のアース端子６２を備え、前記ドッキングステーション７０は、前記アース端子６２に対応される複数の接続素子２０を備える。前記アース端子６２は、導電性材料からなる。。
【００１９】
前記ノートパソコン６０と前記ドッキングステーション７０とが連接されれば、前記接続素子２０と前記アース端子６２とは、電気的に接続される。前記ノートパソコン６０の重力によって、前記弾性部材３０（ドッキングステーション７０の内部に装着、図６には示せず）は圧縮され、且つ前記弾性部材３０の弾力作用によって前記接続素子２０は前記アース端子６２に安定的に接触される。従って、前記電磁干渉の有効的な抵抗能力を保障するので、資料を安定的に転送することができる。
【００２０】
以上本考案を実施例に基づいて具体的に説明したが、本考案は、上述の実施例に限定されるものではなく、その要旨を逸脱しない範囲において、種々変更可能であることは勿論であって、本考案の保護範囲は、以下の実用新案登録請求の範囲から決まる。
【符号の説明】
【００２１】
１０  電気コネクタ
２０  接続素子
２２  円柱接触部
２４  円盤状リム
２６  締め具
２６２  ネック部
２６４  阻止部
２６６  ガイド部
３０  弾性部材
３０２  第一端
３０４  第二端
４０  電子デバイス
４２  ハウジング
４４  導体
４２０  ガイド孔
４２２  管状収容部
４２４  パネル
６０  ノートパソコン
６２  アース端子
６６  第一コネクタ
６８  金属ターミナル
７０  ドッキングステーション
７６  第二コネクタ
７８  リード
【図１】
0003162507.tif 000003
【図２】
0003162507.tif 000004
【図３】
0003162507.tif 000005
【図４】
0003162507.tif 000006